(57)【要約】  盗難防止アラームタグは、製品（１１）の両側に配置される２つの部分（１０、１２）を有し、一方の部分（１２）は、製品を貫通し他方の部分（１０）に固定式に係合するピン（１４）を備える。一方の部分は、底部（１５）及びカバー（１６）を備えたハウジングを形成し、ハウジングは、アラーム装置（２０）及びアラーム装置を制御する電子回路を備えた回路基板（１８）を収容する。ピンはカバー又は回路基板に接続され、底部を摺動式に貫通する。２つの部分が分離されようとしたときに、接点手段（３９）が、カバー又は回路基板の変形によってアラーム装置を起動するように切替えられる。
2007536660.tif 000002
【特許請求の範囲】
【請求項１】
ハウジングを有する盗難防止アラームタグであって、
アラーム装置と、
弾性変形可能な要素と、
前記アラーム装置を制御する電子回路であって、前記弾性変形可能な要素が変形したときに前記アラーム装置を起動する接点手段を有する、電子回路と、
前記弾性変形可能な要素に接続され、前記ハウジングを摺動式又は隙間ばめ式に貫通して該ハウジングから突出するピンと、を有し、
前記ピンが引っ張られたときに、前記弾性変形可能な要素が変形し、前記接点手段が前記アラーム手段を起動する、
アラームタグ。
【請求項２】
前記ハウジングはカバー及び底部を有し、前記ピンは該底部から突出する、請求項１に記載のアラームタグ。
【請求項３】
前記ピンを把持することにより前記アラームタグに係合するロック機構を備えた相補的部材を有し、該ロック機構は前記ピンを解放するように操作可能である、請求項１に記載のアラームタグ。
【請求項４】
前記カバーは前記弾性変形可能な要素を形成する、請求項２に記載のアラームタグ。
【請求項５】
前記電子回路を支持しかつ前記ハウジングに接続される回路基板を有し、該回路基板は前記弾性変形可能な要素を形成する、請求項１に記載のアラームタグ。
【請求項６】
前記接点手段は、前記電子回路内の通常は開いたスイッチを有し、該スイッチは、前記アラームタグを係合する前記相補的部材から分離しようとしたときに生じる前記弾性変形可能な要素の変形によって閉じられる、請求項３に記載のアラームタグ。
【請求項７】
前記電子回路を支持しかつ前記ハウジングに接続される回路基板を有し、前記接点手段は、通常は開いており前記電子回路の変形によって閉じられるスイッチを有し、該スイッチは、前記アラームタグを係合する前記相補的部材から分離しようとしたときに弾性変形可能な要素として作用する、請求項３に記載のアラームタグ。
【請求項８】
前記スイッチは、第１端及び第２端を備えた接点ブレードを有し、前記第１端は前記回路基板に取付けられ、前記第２端は前記スイッチが開いているときは前記底部に当接する、請求項６に記載のアラームタグ。
【請求項９】
前記スイッチは、本来的には閉位置に向けて付勢されるとともに、加熱によって融解可能なスペーサによって前記閉位置から離れた位置に留められる接点ブレードを有する、請求項６に記載のアラームタグ。
【請求項１０】
前記ピンの一部又は全体を囲繞するリッジが前記底部の外側に形成される、請求項２に記載のアラームタグ。
【請求項１１】
前記電子回路に接続されたバッテリが恒久的に前記ハウジング内に収容される、請求項１に記載のアラームタグ。
【請求項１２】
前記アラーム装置は、前記底部の内面に形成されたリムに固定されるサウンドワッシャを有する、請求項２に記載のアラームタグ。
【請求項１３】
製品（１１）の一方の側に配置され、ピン（１４）を備えた第１部分（１０）と、第２部分（１２）とを有する盗難防止アラームタグであって、前記ピンは前記製品を貫通して、前記製品の他方の側に配置された前記第２部分と固定式に係合し、前記第１部分は前記ピンが突出する底部（１５）及びカバー（１６）を備えたハウジングを有し、該ハウジングはアラーム装置（２０）及び該アラーム装置を制御する電子回路を収容し、前記ピンは弾性変形可能な要素に接続され、前記電子回路の接点手段（３９、３９Ａ）が、前記第１及び第２部分が分離されようとしたときに前記要素の変形によって前記アラーム装置を起動するように構成される、アラームタグにおいて、
前記ピン（１４）は、前記底部を摺動式又は隙間ばめ式に貫通し、前記ピンが引っ張られたときに、前記弾性変形可能な要素が前記底部に向かって変形し、前記接点手段が前記アラーム手段を起動することを特徴とする、
アラームタグ。
【請求項１４】
前記カバー（１６）は前記弾性変形可能な要素を形成する、請求項１３に記載のアラームタグ。
【請求項１５】
前記電子回路を支持しかつ前記ハウジングに接続される回路基板（１８）が、前記弾性変形可能な要素を形成する、請求項１３に記載のアラームタグ。
【請求項１６】
前記接点手段（３９）は、前記電子回路内の通常は開いたスイッチを有し、該スイッチは、前記アラームタグの前記第１及び第２部分（１０、１２）が分離されようとしたときに生じる前記弾性変形可能な要素（１６；１８）の変形によって閉じられる、請求項１３に記載のアラームタグ。
【請求項１７】
前記電子回路を支持しかつ前記ハウジングに接続される回路基板（１８）が、前記弾性変形可能な要素を形成し、前記スイッチは前記回路基板（１８）に支持される、請求項１６に記載のアラームタグ。
【請求項１８】
前記スイッチは、第１端及び第２端を備えた接点ブレード（３９）を有し、前記第１端は前記回路基板（１８）に取付けられ、前記第２端は前記スイッチが開いているときは前記底部（１５）に当接する、請求項１７に記載のアラームタグ。
【請求項１９】
前記スイッチは、本来的には閉位置に向けて付勢されるとともに、加熱によって融解可能なスペーサによって前記閉位置から離れた位置に留められる接点ブレードを有する、請求項１７に記載のアラームタグ。
【請求項２０】
前記ピン（１４）の一部又は全体を囲繞するリッジ（３７）が前記底部（１５）の下側に形成される、請求項１３〜１９のいずれか１項に記載のアラームタグ。
【請求項２１】
前記電子回路に接続されたバッテリ（２５、２５）が恒久的に前記ハウジング（１５）内に収容される、請求項１３〜２０のいずれか１項に記載のアラームタグ。
【請求項２２】
前記アラーム装置は、前記底部（１５）の内面に形成されたリム（２１）に固定されるサウンドワッシャ（２０）を有する、請求項１３〜２１のいずれか１項に記載のアラームタグ。
【発明の詳細な説明】
【技術分野】
【０００１】
本発明は、２つの部分を有する盗難防止アラームタグに関する。２つの部分の一方は、製品の片側に配置されるとともに、製品を貫通するピンを有する。ピンは、製品の反対側に配置された２つの部分の他方に固定式に係合する。２つの部分の一方は、底部及びカバーを備えたハウジングを有し、ハウジングはアラーム装置及びアラーム装置を制御する電子回路を収容する。ピンは弾性変形可能な要素に接続され、電子回路の接点手段が、２つの部分が分離されようとしたときに弾性変形可能な要素の変形によってアラーム装置を起動するように構成される。
【背景技術】
【０００２】
この種のアラームタグは、特許文献１に記載されている。この文献に記載されている従来技術のアラームタグでは、ハウジングの底面にピンが取り付けられている。またハウジングの底面には、双安定のバネ座金も取り付けられる。この座金は電子回路に対して動作可能に関連付けられ、接点要素を構成する。この接点要素は、アラーム装置が音を発しない第１の位置に通常は位置するが、ピンによって、アラームタグの２つの部分を分離するための第２の位置に切り替えられる。
【０００３】
【特許文献１】ＷＯ９５／２７９５９号
【発明の開示】
【発明が解決しようとする課題】
【０００４】
この種のアラームタグに関する重要な問題は、アラームタグが価格に敏感な製品であるが故に、その製造コストである。
【０００５】
他の問題は、店によっては、安いだけでなく、現在市場から入手可能なものよりも小型かつ薄型のアラームタグに対する強い要望があることである。
【０００６】
本発明の目的は、この種のアラームタグでは最も信頼性が高く、小型かつ薄型であってさらに低コストで作製可能なアラームタグを提供することである。
【課題を解決するための手段】
【０００７】
この目的、及び以降の記載から当業者に明らかな他の目的は、本発明に係るこの種のアラームタグによって達成され、請求項１によって特徴付けられる。本発明の他の特徴は従属項に規定される。
【０００８】
本発明のアラームタグの例示的実施形態は、添付図面を参照して以下に説明される。
【発明を実施するための最良の形態】
【０００９】
図１が示すアラームタグは、ロック機構を備えた第１部分１０を有する。部分１０は、製品１１の一方の側に取付けられる。またアラームタグは、ピン１４を備えたハウジング１３を含む第２部分１２を有する。部分１２は、製品１１の他方の側に取付けられ、ピン１４は製品内を延びる。ピンは部分１０内へ軸方向に容易に押込み可能であるが、その反対方向へ動かそうとしたときはロック機構によってしっかりと把持される。故に、部分１２がロック機構によって部分１０に取付けられることにより、製品を購入したデパート又は店の現場にある解放装置によってロック機構が磁気的又は機械的に操作されない限り、両部分を分離してアラームタグを製品から除去することはできない。ロック機構は、ピンに係合するラッチ部材を有する公知のタイプであってよい。このラッチ部材は、解放装置によって磁気的又は機械的に係合解除可能であり、例えばＵＳ５，２７５，１２２号に関連の記載がある。
【００１０】
アラーム装置は、アラームタグが電磁場又は静電場を有するデパート又は店内の所定の領域から外に搬出されるとき、又はアラームタグに関する公知の技術に従い、アラームタグが出口通路の両側に配置された弓形状（bows）の間に維持された電磁場又は静電場のような場を通って搬出されるときに、起動する。
【００１１】
主に図２を参照すると、ハウジング１３は、耐衝撃性材料、好ましくは弾性変形可能な材料（例えばポリカーボネート）から作製された底部１５及びカバー１６を有し、底部１５及びカバー１６は部位１７にて互いに溶接又は融着される。底部及びカバーによって画定される空間内には回路基板１８が配置される。回路基板１８の上面はカバーの突起１９と係合し、それにより回路基板は、底部及びカバーで画定される空間内の固定位置に保持される。
【００１２】
底部１５の上面から突出する円形のリム２１の鋭利なエッジの上に、円形のサウンドワッシャ（sound washer）２０が配置される。ワッシャ２０は、弾性の接着剤、両面テープ又は他の適当な接着剤によってリムに取付けられる。サウンドワッシャは、その上面に円形の圧電層２２を有する。この層は、ワッシャの上面に例えば接着剤によって取付けられた円形ディスクとして作製される。
【００１３】
底部には、２つのバッテリ２４及び２５を挿入するための開口部２３が設けられる。一方のバッテリは、上方に向かう陽極と、下方に向かう他の陽極とを有する。底部は、バッテリを正しい位置に位置決めするための、立設されたガイド構造体２６を有する（図４参照）。開口部２３を覆うための蓋２７はバネフック２８を有し、バネフック２８は蓋を閉じるときに、底部に形成された傾斜面に係合する。バネフックは、開口部を閉鎖すべく蓋が底部の下側に対して押圧されたときに、傾斜面に対して摺動することにより偏向する。バネフックは、蓋が閉じているときは肩２９にスナップ式に係合する。
【００１４】
図５に示すように、回路基板１８は、回路基板上の回路にバッテリを接続するための接点３０を有する。バッテリを直列に接続する接点要素としてのスプリングブレード３１が設けられる（図３参照）。また回路基板の下側には、サウンドワッシャを回路基板に接続する接点ブレード３２が配置される（図５参照）。
【００１５】
第１の実施形態によれば、図２に示すように、ピン１４はヘッド３３を有し、カバー１６の孔３４に受容される。孔３４は、ヘッドがカバーの上面と同一面を形成するような形状であることが好ましい。ピンにおいて限られた軸方向長さを有する刻み付き部分３５が孔３４に圧入によって受容され、それによりピンがカバー１６に取付けられる。ピンは、底部１５の孔３６を摺動式又は隙間ばめ式に貫通し、底部の下面から突出する。底部の下面には、中心が孔３６内に位置する半円形のリブ３７が形成される。このリブにより、アラームタグの２つの部分の間でピンを切断しようとしてペンチを適用することは困難になる。バッテリの蓋を着脱するための隙間が必要であるため、リブはピンの周りを全周にわたっては延びないことが好ましい。
【００１６】
図５を参照すると、回路基板は接点ブレード３９を備えた舌３８を有し、接点ブレードは一端において回路基板に取付けられ、他端において底部に向けて傾斜している。この接点ブレードの他端は通常、バッテリガイド構造体２６の突起４０に支持される（図６参照）。この配置では、接点ブレードは配線基板の下面上の関連する接点３９Ａと離れているが、ハウジングの底部に向けてカバーを撓ませることにより接点３９Ａに係合し、回路基板１８（特に接点３９Ａ）が突起４０において接点ブレード３９に当接する。タグの２つの部分が製品の両側に配置され、ピンが製品を貫通し部分１２に固定されるようにアラームタグを製品に適用した場合に、アラームタグの２つの部分１０及び１２を分離しようとすると、カバーを底部に向けて屈曲させることになる。これにより、接点ブレード３９が回路基板の関連する接点に対して上方に押し付けられ、発振回路及び保持回路を含むアラーム回路を起動する。アラームが起動すると発振回路が作動し、それによりサウンドワッシャが、保持回路がリセットされるまで鳴動を続ける。このリセットは、アパーチャ４１（図３参照）を通して図示しない針を接点要素３１に当てることによってバッテリ２４を短絡させて、行われる。このことは、２つの部分１０及び１２が分離するまで行うことができない。従って、権限のある職員がアラームタグの２つの部分を分離するまで、アラームは停止できない。接点要素３１に作用する針によって、バッテリ２４は自らの陽極とバッテリシェルとの間で短絡する。保持回路（すなわちアラーム回路）は、保持回路を起動するだけの１つのバッテリでは機能しない。起動したアラームタグによる生成される音がタグの周囲に伝播していくように、ハウジングには開口部４２が設けられる（図２参照）。
【００１７】
本発明に係るアラームタグのハウジングは、ピンなしで保存可能であるので、使用すべきときに、所望の部分１２と組み合わせるために適切な長さ及び厚さのピンを備えることができる。
【００１８】
上述の実施形態では、蓋２７は底部と一体の部分によって置換してもよい。しかしこのことは、ハウジングのカバー及び底部が部位１７において互いに接続される前にバッテリがハウジング内に配置され、またバッテリが交換不可能であることを意味する。図９に示す第２の実施形態は、この種のバッテリ構成を有するが、このバッテリ構成が図２の構成（カバー１６にピンを取付ける）に同様に適用できることが理解できよう。図９の実施形態では、バッテリの蓋を着脱する必要がないので、リブ３７は円の全周にわたって延びる。
【００１９】
第２の実施形態は、ピン１４がカバー１６ではなく回路基板１８に取付けられるという変更例を含む。回路基板は弾性変形可能であり、接点ブレード３９は、第１の実施形態に関して述べたように機能すべく配置される。従って、タグによって保護された製品からアラームタグを除去しようとしてピンが操作されたとき、回路基板が変形して接点ブレードが電子回路を閉じ、アラームを起動する。他の点では、第２の実施形態は第１の実施形態と同一である。
【００２０】
本願明細書に記載のものと同様の種類のアラームタグは、ライターによりピンを加熱すると故障することがある。本発明の特定の実施形態は、この問題を克服するように工夫されている。この工夫によれば、接点ブレード３９は本来的に、回路基板上の関連する接点３９Ａに接する位置に付勢されているが、接点要素又はワックス若しくは他の融解可能な材料からなるスペーサ（図示せず）によってこの位置から離れた位置に留められる。この接点要素又はスペーサは、接点ブレード３９を回路基板の関連する接点３９Ａから離れた位置に保持する。接点要素又はスペーサがピンの加熱によって融解した場合は、本来的な付勢によって接点ブレード３９は回路基板の関連する接点に向けて移動し、アラームを起動する。
【図面の簡単な説明】
【００２１】
【図１】断片的に断面で示す製品に取付けられたアラームタグの側面図である。
【図２】本発明の第１の実施形態に係る、ピン及びハウジングを有するアラームタグの拡大断面図である。
【図３】図２のIII−III線に沿う断面図である。
【図４】図２及び図３のハウジングの底部を、その内側からみた平面図である。
【図５】ハウジングのカバーを、回路基板が取付けられた内側からみた平面図である。
【図６】ハウジングの部分拡大断面図であって、電子回路の一部を形成する接点装置を示す図である。
【図７】バッテリーの蓋をその内側からみた平面図である。
【図８】バッテリーの蓋の側面図である。
【図９】図２に類似する、本発明の第２の実施形態の断面図である。
【図１】
2007536660.tif 000003
【図２】
2007536660.tif 000004
【図３】
2007536660.tif 000005
【図４】
2007536660.tif 000006
【図５】
2007536660.tif 000007
【図６】
2007536660.tif 000008
【図７】
2007536660.tif 000009
【図８】
2007536660.tif 000010
【図９】
2007536660.tif 000011
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
ハウジングを有する盗難防止アラームタグであって、
アラーム装置と、
弾性変形可能な要素と、
前記アラーム装置を制御する電子回路であって、前記弾性変形可能な要素が変形したときに前記アラーム装置を起動する接点手段を有する、電子回路と、
前記弾性変形可能な要素に接続され、前記ハウジング内から該ハウジングを摺動式又は隙間ばめ式に貫通して該ハウジングの壁部の開口から突出するピンと、を有し、
前記ピンが引っ張られたときに、前記弾性変形可能な要素が前記壁部に向かって変形し、前記接点手段が前記アラーム手段を起動する、
アラームタグ。
【請求項２】
前記ハウジングはカバー及び底部を有し、前記ピンは該底部から突出する、請求項１に記載のアラームタグ。
【請求項３】
前記ピンを把持することにより前記アラームタグに係合するロック機構を備えた相補的部材を有し、該ロック機構は前記ピンを解放するように操作可能である、請求項１に記載のアラームタグ。
【請求項４】
前記カバーは前記弾性変形可能な要素を形成する、請求項２に記載のアラームタグ。
【請求項５】
前記電子回路を支持しかつ前記ハウジングに接続される回路基板を有し、該回路基板は前記弾性変形可能な要素を形成する、請求項１に記載のアラームタグ。
【請求項６】
前記接点手段は、前記電子回路内の通常は開いたスイッチを有し、該スイッチは、前記アラームタグを係合する前記相補的部材から分離しようとしたときに生じる前記弾性変形可能な要素の変形によって閉じられる、請求項３に記載のアラームタグ。
【請求項７】
前記電子回路を支持しかつ前記ハウジングに接続される回路基板を有し、前記接点手段は、通常は開いており前記電子回路の変形によって閉じられるスイッチを有し、該スイッチは、前記アラームタグを係合する前記相補的部材から分離しようとしたときに弾性変形可能な要素として作用する、請求項３に記載のアラームタグ。
【請求項８】
前記スイッチは、第１端及び第２端を備えた接点ブレードを有し、前記第１端は前記回路基板に取付けられ、前記第２端は前記スイッチが開いているときは前記底部に当接する、請求項６に記載のアラームタグ。
【請求項９】
前記スイッチは、本来的には閉位置に向けて付勢されるとともに、加熱によって融解可能なスペーサによって前記閉位置から離れた位置に留められる接点ブレードを有する、請求項６に記載のアラームタグ。
【請求項１０】
前記ピンの一部又は全体を囲繞するリッジが前記底部の外側に形成される、請求項２に記載のアラームタグ。
【請求項１１】
前記電子回路に接続されたバッテリが恒久的に前記ハウジング内に収容される、請求項１に記載のアラームタグ。
【請求項１２】
前記アラーム装置は、前記底部の内面に形成されたリムに固定されるサウンドワッシャを有する、請求項２に記載のアラームタグ。
【請求項１３】
製品（１１）の一方の側に配置され、ピン（１４）を備えた第１部分（１０）と、第２部分（１２）とを有する盗難防止アラームタグであって、前記ピンは前記製品を貫通して、前記製品の他方の側に配置された前記第２部分と固定式に係合し、前記第１部分は前記ピンが突出する底部（１５）及びカバー（１６）を備えたハウジングを有し、該ハウジングはアラーム装置（２０）及び該アラーム装置を制御する電子回路を収容し、前記ピンは弾性変形可能な要素に接続され、前記電子回路の接点手段（３９、３９Ａ）が、前記第１及び第２部分が分離されようとしたときに前記要素の変形によって前記アラーム装置を起動するように構成される、アラームタグにおいて、
前記ピン（１４）は、前記底部の開口（３６）を摺動式又は隙間ばめ式に貫通し、前記ピンが引っ張られたときに、前記弾性変形可能な要素が前記底部に向かって変形し、前記接点手段が前記アラーム手段を起動することを特徴とする、
アラームタグ。
【請求項１４】
前記カバー（１６）は前記弾性変形可能な要素を形成する、請求項１３に記載のアラームタグ。
【請求項１５】
前記電子回路を支持しかつ前記ハウジングに接続される回路基板（１８）が、前記弾性変形可能な要素を形成する、請求項１３に記載のアラームタグ。
【請求項１６】
前記接点手段（３９）は、前記電子回路内の通常は開いたスイッチを有し、該スイッチは、前記アラームタグの前記第１及び第２部分（１０、１２）が分離されようとしたときに生じる前記弾性変形可能な要素（１６；１８）の変形によって閉じられる、請求項１３に記載のアラームタグ。
【請求項１７】
前記電子回路を支持しかつ前記ハウジングに接続される回路基板（１８）が、前記弾性変形可能な要素を形成し、前記スイッチは前記回路基板（１８）に支持される、請求項１６に記載のアラームタグ。
【請求項１８】
前記スイッチは、第１端及び第２端を備えた接点ブレード（３９）を有し、前記第１端は前記回路基板（１８）に取付けられ、前記第２端は前記スイッチが開いているときは前記底部（１５）に当接する、請求項１７に記載のアラームタグ。
【請求項１９】
前記スイッチは、本来的には閉位置に向けて付勢されるとともに、加熱によって融解可能なスペーサによって前記閉位置から離れた位置に留められる接点ブレードを有する、請求項１７に記載のアラームタグ。
【請求項２０】
前記ピン（１４）の一部又は全体を囲繞するリッジ（３７）が前記底部（１５）の下側に形成される、請求項１３〜１９のいずれか１項に記載のアラームタグ。
【請求項２１】
前記電子回路に接続されたバッテリ（２５、２５）が恒久的に前記ハウジング（１５）内に収容される、請求項１３〜２０のいずれか１項に記載のアラームタグ。
【請求項２２】
前記アラーム装置は、前記底部（１５）の内面に形成されたリム（２１）に固定されるサウンドワッシャ（２０）を有する、請求項１３〜２１のいずれか１項に記載のアラームタグ。
【国際調査報告】
2007536660.tif 000012
2007536660.tif 000013
2007536660.tif 000014